(57)【要約】【課題】  公営競技のキャッシュレス投票システムにおける即時性の高い資金移動をシステムの負担を増加させることなく実現する。【解決手段】  インターネットを開始してアクセスする端末装置、前記銀行のシステム、主催者サーバのそれぞれを通信ネットワークに接続し、加入者が、インターネットを介しアクセス可能な銀行に開設される銀行口座を加入者口座として管理し、公営競技の主催者が、加入者から投票券購入資金の入金申込みがあった際に、その投票券の購入資金を加入者の銀行口座から主催者の口座へ振り込み、この投票券の購入資金により加入者から受ける投票券購入情報に基づく資金を処理する。【選択図】図１
2004171582.tif 000002
【特許請求の範囲】
【請求項１】
公営競技に投資する加入者が、銀行に開設された加入者名義の口座を利用して競技予想に投票する資金の入出金を決済する方法であって、
前記加入者はインターネットを開始してアクセスする端末装置、前記銀行のシステム、
主催者サーバのそれぞれを通信ネットワークに接続し、
前記加入者が、インターネットを介しアクセス可能な前記銀行に開設される銀行口座を加入者口座として管理し、
前記公営競技の主催者が、加入者から投票券購入資金の入金申込みがあった際に、その投票券の購入資金を前記加入者の銀行口座から主催者の口座へ振り込み、この投票券の購入資金により前記加入者から受ける投票券購入情報に基づく資金を処理することを特徴とする公営競技の投票資金に対する入出金決済方法。
【請求項２】
請求項１において、主催者は、更に、前記加入者の投票の結果が的中した際には、配当金を前記投票券購入資金と共に精算し、前記銀行に依頼して前記業界口座から前記加入者の銀行口座に振り込む手順を有することを特徴とする公営競技の投票資金に対する入出金決済方法。
【請求項３】
請求項１において、投票券購入にあたっては、主催者は、前記投票券購入資金を前記加入者の銀行口座から前記業界口座へ振り込む際に当該投票券購入資金を投票資金残高として加算記録して把握する手順と、かつ前記加入者から投票券の購入依頼を受けた際にはその投票金額が前記投票券購入資金残高以内であることを確認してこの投票金額を前記投票券購入資金残高から減算更新し把握する手順とを有することを特徴とする公営競技の投票資金に対する入出金決済方法。
【請求項４】
公営競技に投資する加入者が、銀行に開設された加入者名義の口座を利用して競技予想に投票する資金の入出金を決済するシステムであって、
前記加入者はインターネットを開始してアクセスする端末装置、前記銀行のシステム、
主催者サーバのそれぞれを通信ネットワークに接続し、
前記加入者が、インターネットを介しアクセス可能な前記銀行に開設される銀行口座を加入者口座として管理し、
前記公営競技の主催者が、加入者から投票券購入資金の入金申込みがあった際に、その投票券の購入資金を前記加入者の銀行口座から主催者の口座へ振り込み、この投票券の購入資金により前記加入者から受ける投票券購入情報に基づく資金を処理することを特徴とする公営競技の投票資金に対する入出金決済システム。
【請求項５】
請求項４において、主催者は、更に、前記加入者の投票の結果が的中した際には、配当金を前記投票券購入資金と共に精算し、前記銀行に依頼して前記業界口座から前記加入者の銀行口座に振り込む手順を有することを特徴とする公営競技の投票資金に対する入出金決済システム。
【請求項６】
請求項４において、投票券購入にあたっては、主催者は、前記投票券購入資金を前記加入者の銀行口座から前記業界口座へ振り込む際に当該投票券購入資金を投票資金残高として加算記録して把握する手順と、かつ前記加入者から投票券の購入依頼を受けた際にはその投票金額が前記投票券購入資金残高以内であることを確認してこの投票金額を前記投票券購入資金残高から減算更新し把握する手順とを有することを特徴とする公営競技の投票資金に対する入出金決済システム。
【発明の詳細な説明】
【技術分野】
【０００１】
本発明は、競馬、競輪、競艇、オートレース等の公営競技の投票券（勝ち馬券、車券、船券等）をキャッシュレスで購入して投票を行う際の入出金決済方法、及び入出金決済システムに関する。
【背景技術】
【０００２】
現在の公営競技業界におけるキャッシュレス投票システムでは、投票を行う加入者に対して、あらかじめ投票専用の口座を開設させて、運用開催前に通常の銀行口座から当該投票専用口座に資金を移動（入金／出金）させておき、この投票専用口座の資金の範囲内で投票券を購入させるようにしたものが一般的であった。
【０００３】
このような投票専用口座では、残高不足を防止するために、公営競技の開催運用中における当該投票専用口座への資金移動（入金／出金）を禁止（ロック）していた。
【特許文献１】特開平８−７７４１０号公報
【特許文献２】特開昭６２−１８４５６８号公報
【発明の開示】
【発明が解決しようとする課題】
【０００４】
このような投票専用口座システムでは、払戻金を引き落としできるのが公営競技の開催が終了した翌日以降であったり、投票専用口座内に投票券の購入資金が不足していたとしても開催運用中には入金ができないなど、運用の柔軟性を欠いていた。
【０００５】
この対策としては、資金移動操作（投票券購入時に出金処理を行い、払戻時に入金を行う）が発生する度に銀行口座からその金額に応じた決済を行うことにより解決することが可能であるが、入出金処理のためのコンピュータハードウエアまたはソフトウエアの処理の負荷を考慮すると、システムに多大な負担がかかることになってしまい、現実的ではない。
【０００６】
また、少額取引についても資金移動が発生するため、手数料に見合った決済取引が行われない可能性がある。
【０００７】
さらに、加入者の銀行口座は通常ロック状態で保護されているため、当該銀行口座に対して自由に口座操作ができない問題がある。
【０００８】
これらの要因のために、公営競技におけるキャッシュレス投票システムでは、資金移動サイクルが潤滑に行われていないとの問題があった。
【０００９】
本発明は、このような点に鑑みてなされたものであり、公営競技のキャッシュレス投票システムにおける即時性の高い資金移動をシステムの負担を増加させることなく実現することを技術的課題とする。
【課題を解決するための手段】
【００１０】
本発明は、公営競技に投資する加入者が、銀行に開設された加入者名義の口座を利用して競技予想に投票する資金の入出金を決済する方法であって、前記加入者はインターネットを開始してアクセスする端末装置、前記銀行のシステム、主催者サーバのそれぞれを通信ネットワークに接続し、前記加入者が、インターネットを介しアクセス可能な前記銀行に開設される銀行口座を加入者口座として管理し、前記公営競技の主催者が、加入者から
投票券購入資金の入金申込みがあった際に、その投票券の購入資金を前記加入者の銀行口座から主催者の口座へ振り込み、この投票券の購入資金により前記加入者から受ける投票券購入情報に基づく資金を処理すること可能にしたものである。
【００１１】
本発明によれば、主催者が、加入者から投票券購入資金の入金申込みがあった際に、その投票券の購入資金を前記加入者の銀行口座から主催者の口座へ振り込み、この投票券の購入資金により前記加入者から受ける投票券購入情報に基づく資金を処理するため、公営競技のキャッシュレス投票システムにおける即時性の高い資金移動を実現することができる。
【発明の効果】
【００１２】
本発明２よれば、公営競技のキャッシュレス投票システムにおける即時性の高い資金移動をシステムの負担を増加させることなく実現することができる。
【発明を実施するための最良の形態】
【００１３】
以下、図面に基づいて、本発明の実施の形態を説明する。
【００１４】
図１は、本発明の実施例におけるシステム構成を示すブロック図である。
【００１５】
利用者の端末装置１は、インターネット等のネットワークに接続可能なパーソナルコンピュータ、またはネットワーク接続可能な携帯情報端末である。
【００１６】
銀行口座２は、銀行のシステム内に設けられており、コンピュータシステムの記憶装置内に利用者毎に設定された口座ファイルとして存在している。
【００１７】
この銀行口座に対しては、利用者が銀行の図示しない入出金端末を通じて現金を預け入れ、引き出しすることによってファイル内に記録された残高値が更新されるようになっている。
【００１８】
また、当該銀行口座に対しては、利用者は携帯情報端末等の端末装置１からアクセスすることが可能となっており、当該銀行口座に対して振込指示を行うことにより、銀行口座２から仮口座３に資金移動ができるようになっている。具体的には、この処理は、銀行口座２の口座ファイルに対して端末装置１からの指示により、一定金額の振込指示が行われると、当該利用者名義の口座ファイルの残高値から一定金額が減算され、一方、これに対応する一定金額が仮口座３の口座ファイルの残高値に加算されることにより行われる。
【００１９】
主催者サーバ５には、仮口座３と投票券取引システム４とが設けられている。
【００２０】
仮口座３は、主催者側のシステム内に設定されており、利用者毎に設定された仮口座ファイルで構成されている。この仮口座と前記銀行口座とは、テンポラリに生成される口座連携テーブル７によって１対１に関連付けられている。したがって、投票券取引システム４は、口座連携テーブル７を参照することによって、仮口座と銀行口座の対応関係を認識でき、銀行口座からの振込先仮口座、仮口座からの払戻先銀行口座を容易に判断できるようになっている。
【００２１】
そして、運用が終了すると、当該仮口座および口座連携テーブル７は破棄されるようになっている。
【００２２】
前記投票券取引システム４は、主催者サーバ５内で実現されたプログラムであり、仮口座３から投票券購入資金を移動し、当該投票券購入情報を利用者情報とともに保持し、投
票結果に基づく配当金が発生すると、前記仮口座３の残高に当該配当金を加算する処理を行う。
【００２３】
前記仮口座３の口座ファイルには端末装置１からアクセスが可能となっており、利用者は端末装置１を通じて仮口座３に対して一定金額の払戻指示を行うことにより、仮口座３の口座ファイルの残高値から一定金額が減算されて、該金額が銀行口座２の口座ファイル内の残高値に加算されるようになっている。
【００２４】
図２は、資金移動操作の概念を示す図である。同図において、まず利用者は利用開始にあたり、主催者に対して金額の指定を行い、資金移動操作を行う。これ以降、指定した金額が元金となり、主催者サーバ５の仮口座ファイル３ａに元金として登録される。
【００２５】
この資金移動操作の結果、銀行口座ファイル２ａから仮口座ファイル３ａに対して振込処理が行われる。そして、主催者サーバ５より利用者の端末装置１に対して振込結果が通知される。
【００２６】
利用者が端末装置１を通じて馬券の購入操作を行うと、主催者サーバ５がこれを認識して、仮口座ファイル３ａより当該馬券の購入資金分だけ残高値を減算処理する。
【００２７】
レースが確定して、払戻金が発生したときには、主催者サーバ５の仮口座ファイル３ａに当該払戻金の金額が加算される。
【００２８】
ここで、利用者は端末装置１を通じて主催者サーバ５に所定金額を指示して資金移動操作を指示すると、主催者サーバ５の仮口座ファイル３ａより銀行口座ファイル２ａに対して当該金額の振込処理が行われる。この結果、銀行口座ファイル２ａの残高値には振込金額が加算される。
【００２９】
そして、運用終了時には、主催者サーバ５に設定された仮口座ファイル３ａの決済が行われて、主催者サーバ５より利用者端末装置１に対して、払出結果が通知されるとともに、仮口座ファイル３ａから銀行口座ファイル２ａに対して仮口座ファイル３ａの残高値の全てが振り込まれる。
【００３０】
次に、図３乃至図５を用いて具体的な運用例を説明する。
【００３１】
図３において、利用者の銀行口座（銀行口座ファイル２ａ）には、残高が１００，０００円ある。
【００３２】
次に、利用者が利用者端末１を通じて、主催者サーバ５に対して１０，０００円の入金を通知すると、主催者サーバ５は、自システム内に当該利用者の仮口座ファイル３ａを生成するとともに、口座連携テーブル７を生成し、前記仮口座ファイル３ａと銀行口座ファイル２ａとを関係付ける。
【００３３】
そして、主催者サーバ５は、当該利用者の銀行口座ファイル２ａから前記仮口座ファイル３ａに対して１０，０００円の振込処理を行うよう指示する。
【００３４】
この結果、当該利用者の銀行口座ファイル２ａの残高は９０，０００円となる。
【００３５】
ここで、利用者は銀行口座（銀行口座ファイル２ａ）より４０，０００円の引き落とし（引き出し）を行う。これは、利用者が一般の現金出入機を用いて行うこともできるし、インターネット端末または携帯情報端末を用いて口座間の資金移動という形式で行うこと
もできる。
【００３６】
この結果、銀行口座ファイル２ａの残高は５０，０００円となる。
【００３７】
次に、利用者が利用者端末装置１を用いて投票（１Ｒ単１番に対して５，０００円）を行うと、主催者サーバ５の仮口座ファイル３ａより投票券購入金額である５，０００円が減算される。
【００３８】
そして、この投票結果が利用者端末装置１に通知される。
【００３９】
次に、図４に示すように、レースの結果、前記利用者の投票が的中し、配当金として１０，０００円が発生したときには、当該金額が仮口座ファイル３ａの残高値に加算される。この結果、仮口座ファイル３ａの残高値は１５，０００円となる。
【００４０】
次に、利用者が配当金の一部を銀行口座に移しておきたい場合（たとえば１０，０００円）には、利用者端末装置１より主催者サーバ５に対して当該金額の資金移動を指示する。この結果、主催者サーバ５の仮口座ファイル３ａより当該利用者の銀行口座ファイル２ａに対して１０，０００円の資金移動（振込）が行われ、その結果、銀行口座ファイル２ａの残高値は６０，０００円となる。
【００４１】
次に、利用者は一般の現金出入機によって、自身の銀行口座（銀行口座ファイル２ａ）に対して３０，０００円の入金を行っており、この結果、利用者の銀行口座ファイル２ａの残高値は９０，０００円となっている。
【００４２】
次に、利用者は利用者端末装置１を通じて主催者サーバ５に対して、次のレースの投票を指示する。ここでは、第２レース（２Ｒ）に対して、複勝で５，０００円だけ投票している。この結果、主催者サーバ５の仮口座ファイル３ａの残高値は０円となっている。
【００４３】
次に、図５に示すように、第２レースの投票結果が不的中であった場合、仮口座ファイル３ａの残高値は０円の状態となっている。
【００４４】
このとき、利用者がさらに投票を続けたい場合には、仮口座ファイル３ａの残高値を増やしておかなければならない。ここでは、利用者は利用者端末装置１を通じて、主催者サーバ５に対して２０，０００円の入金指示を行っている。
【００４５】
この結果、主催者サーバ５は銀行口座ファイル２ａより仮口座ファイル３ａに対して２０，０００円の振込処理を実行する。これによって、主催者サーバ５の仮口座３ａの残高値は２０，０００円となり、銀行口座ファイル２ａの残高値は７０，０００円となっている。
【００４６】
そして、仮口座ファイル３ａの残高値が２０，０００円のままの状態で当該運用が終了すると、主催者サーバ５において決算処理が行われ、仮口座ファイル３ａの残高値が全て利用者の銀行口座ファイル２ａに振り込まれる。以上、本発明の実施例を説明したが、本発明はこれに限定されるものではない。すなわち、本発明は、以下の付記に示したあらゆる概念を含むものである。
【００４７】
なお、本実施例では、投票券を公営競技の勝ち馬券、車券、船券で説明したが、本発明はこれに限らず、たとえば宝くじの投票券も含む概念である。このように宝くじの場合、実施例における主催者サーバ５は、宝くじセンターに設置され、投票券取引システム４は、抽選結果を入力して当たりの場合には配当金を決定するシステムとなる。
【図面の簡単な説明】
【００４８】
【図１】本発明の実施例におけるシステム構成を示すブロック図
【図２】本発明の実施例における資金移動操作を示す説明図
【図３】本発明の実施例における資金移動の運用例を示す説明図（１）
【図４】本発明の実施例における資金移動の運用例を示す説明図（２）
【図５】本発明の実施例における資金移動の運用例を示す説明図（３）
【符号の説明】
【００４９】
１    端末装置
２    銀行口座
２ａ  銀行口座ファイル
３    仮口座
３ａ  仮口座ファイル
４    投票券取引システム
５    主催者サーバ
７    口座連携テーブル
【図１】
2004171582.tif 000003
【図２】
2004171582.tif 000004
【図３】
2004171582.tif 000005
【図４】
2004171582.tif 000006
【図５】
2004171582.tif 000007